(57)【要約】      （修正有）【課題】通信システムに関し、ネットワークと通信するノードの登録活動を制御するための方法と装置を提供する。【解決手段】登録活動を制御する方法および装置において、メモリ１３０の所定エリア内にアイデンティティトークンが存在しないと決定されるとノード１００からの登録メッセージの送信が不能にされる。代わりの実現において、登録活動は、プロビジョニング情報を収容するとノード１００により開始され、このタスクは、アイデンティティトークンを所定エリア１３５に記憶することを含んでいてよい。【選択図】図１
2011254484.tif 000002
【特許請求の範囲】
【請求項１】
下記を具備する装置：
メモリ；および
プロセッサ、前記プロセッサは、前記メモリの所定エリアの内容を受信するように接続され、登録判断を行うように構築され、前記登録判断は、前記メモリの前記所定エリアの内容がアイデンティティトークンを含むかどうかの決定から構成され、および登録メッセージの送信を可能にすることに関連している。
【請求項２】
前記登録判断が、通信ネットワークへの登録メッセージの送信を可能にすることに関連し、および
前記メモリの前記所定エリアの内容が、前記通信ネットワークによって少なくとも一部が割当てられたアイデンティティトークンを含むかどうかの決定から構成される、請求項１の装置。
【請求項３】
前記登録判断が、前記メモリの前記所定エリアの内容がノンゼロ値を有するかどうかの決定から構成されるように、前記プロセッサが構築される、請求項１の装置。
【請求項４】
前記登録判断が、移動通信のための無線符号分割多重アクセスへの登録メッセージの送信を可能にすることに関連するように、前記プロセッサが構築されている、請求項１の装置。
【請求項５】
前記登録判断が、前記メモリの前記エリアの内容がアイデンティティトークンを含むという決定から構成されるとき、登録メッセージの送信が可能となるように、前記プロセッサが構築されている、請求項１の装置。
【請求項６】
前記登録判断が、前記メモリの前記所定エリアの内容がノンゼロ値を有するという決定から構成されるとき、登録メッセージの送信が可能となるように、前記プロセッサが構築される、請求項１の装置。
【請求項７】
前記メモリの少なくとも前記所定のエリアは不揮発性である、請求項１の装置。
【請求項８】
下記から構成される方法：
（ａ）メモリの所定エリアの内容を受信する；および
（ｂ）登録判断を行う、前記登録判断は、
（１）前記メモリの前記所定エリアの内容がアイデンティティトークンを含むかどうかの決定から構成され、および
（２）登録メッセージの送信を可能にすることに関連している。
【請求項９】
前記登録判断は、
（ａ）通信ネットワークへの登録メッセージの送信を可能にすることに関連し、および
（ｂ）前記メモリの前記所定エリアの内容が、通信ネットワークにより少なくとも一部が割当てられたアイデンティティトークンを含むかどうかの判断から構成される、請求項８の方法。
【請求項１０】
前記登録判断は前記メモリの前記所定エリアの内容がノンゼロ値を有するかどうかの決定から構成される、請求項８の方法。
【請求項１１】
前記登録判断は、移動通信のための無線符号分割多重アクセスネットワークへの登録メッセージの送信を可能にすることに関連する、請求項８の方法。
【請求項１２】
前記登録判断が、前記メモリの前記所定エリアの内容がアイデンティティトークンを含む決定から構成されるとき、登録メッセージの送信が可能にされる、請求項８の方法。
【請求項１３】
前記登録判断が、前記メモリの前記所定エリアの内容がノンゼロ値を有する決定から構成されるとき、登録メッセージの送信が可能にされる、請求項８の方法。
【請求項１４】
前記メモリの少なくとも前記所定エリアは不揮発性である、請求項８の方法。
【請求項１５】
機械読み出し可能なコードを記憶したデータ記憶媒体、前記機械読み出し可能なコードは論理素子のアレイにより実行可能な命令群から構成され、前記命令群は下記から構成される方法を定義する：
（ａ）メモリの所定エリアの内容を受信する；および
（ｂ）登録判断を行なう、前記登録判断は、
（１）前記メモリの前記所定エリアの内容がアイデンティティトークンを含むかどうかの決定から構成され、
（２）登録メッセージの送信を可能にすることに関連する。
【請求項１６】
前記登録判断は、
（ａ）通信ネットワークへの登録メッセージの送信を可能にすることに関連し、および
（ｂ）前記メモリの前記所定エリアの内容が前記通信ネットワークにより少なくとも一部が割当てられたアイデンティティトークンを含むかどうかの決定から構成される、請求項１５の媒体。
【請求項１７】
前記登録判断は、前記メモリの前記所定エリアの内容がノンゼロ値を含むかどうかの決定から構成される、請求項１５の媒体。
【請求項１８】
前記登録判断は、移動通信のための無線符号分割多重アクセスへの登録メッセージの送信を可能にすることに関連する、請求項１５の媒体。
【請求項１９】
前記登録判断が、前記メモリの前記所定エリアの内容がアイデンティティトークンを含む決定から構成されるとき、登録メッセージの送信が可能にされる、請求項１５の媒体。
【請求項２０】
、前記登録判断が、前記メモリの前記所定エリアの内容がノンゼロ値を含む決定から構成されるとき、登録メッセージの送信が可能にされる、請求項１５の媒体。
【請求項２１】
下記から構成される方法：
（ａ）プロビジョニング情報を受信する；
（ｂ）前記プロビジョニング情報を受信すると、プロビジョニング情報アクノレジメントを送信する；
（ｃ）前記プロビジョニング情報を収容するための命令を受信する；
（ｄ）前記プロビジョニング情報を受信し、前記収容するための命令を受信すると、前記プロビジョニング情報を収容する；および
（ｅ）前記収容すると、パワーアップ登録手続きを開始する。
【請求項２２】
前記プロビジョニング情報はアイデンティティトークンに関する情報を含む、請求項２１の方法。
【請求項２３】
前記プロビジョニング情報はアイデンティティトークンに関する情報を含む、請求項２１の方法。
【請求項２４】
プロビジョニング情報アクノレジメントを送信する前記工程は符号分割多重アクセス無線リンクを介してプロビジョニング情報アクノレジメントを送信することから構成される、請求項２１の方法。
【請求項２５】
前記パワーアップ登録手続きを開始する工程は登録メッセージを送信することから構成される、請求項２１の方法。
【請求項２６】
前記収容する工程は、前記プロビジョニング情報の少なくとも一部に関連する情報をメモリの所定エリアに記憶することから構成される、請求項２１の方法。
【請求項２７】
前記メモリの少なくとも前記所定エリアは不揮発性である、請求項２６の方法。
【発明の詳細な説明】
【発明の属する技術分野】
【０００１】
この発明は通信システムに関する。特に、この発明はネットワークと通信するノードの登録活動を制御することに関する。
【関連出願の記載】
【０００２】
通信システムは、通信ネットワークと、ネットワークと通信する一連のノードとから構成される。ネットワークとノードとの間の通信リンクは有線または無線であってよい。ノードがネットワーク内の存在物と通信してもよく、ネットワークに接続された他のノードと通信してもよく、および／または他のネットワーク上の存在物および／またはノードと通信してもよいように、ネットワークは他のネットワークと通信してもよい。
【０００３】
通信ネットワークの一例はローカルエリアネットワーク（ＬＡＮ）であり、ネットワークは一連のサーバを含んでもよく、個々のノードは、ワークステーション、パーソナルコンピュータ、および／または記憶装置やプリンタのような周辺装置を含んでも良い。通信ネットワークの他の例は移動体通信のための無線ネットワークであり、このネットワークは一連の基地局と（移動サービスコントローラ（ＭＳＣｓ）およびロケーションレジスタのような）管理装置を含んでいて良く、個々のノードは無線リンクを介して基地局と通信する子局であってよい。子局は携帯電話、コンピュータまたは他のデータ発生装置に接続された無線モデム、または無線加入回線局（ＷＬＬ）であってよい。基地局を介して子局同士が互いに通信しあってもよく、および／またはインターネットおよび／または公衆電話交換網（ＰＳＴＮ）のような他のネットワーク上の装置と通信してもよい。
【０００４】
いくつかのシステムにおいて、ノードは、スタティックリンクを介してネットワークに接続される。例えば有線ＬＡＮにおける個々のワークステーションは一般に永続的な方法でネットワークに接続される。そのような方法で接続された各ノードはそのリンクの物理的位置により容易に識別可能である。
【０００５】
他のネットワークにおいて、ノードとネットワークとの間のリンクは動的である。例えば、携帯電話ネットワークまたは無線ＬＡＮにおいて、子局の電源がオンしてないとき、子局とネットワークとの間のリンクは存在しない。リンクが形成された後でさえも、そのネットワークの内のそのロケーションは、子局が一方の基地局の範囲内から他方の基地局の範囲内に移動するにつれ変化してよい。それゆえ、単にそのリンクの位置によって、このようなやり方で接続されたノードをネットワークが識別することは可能ではない。
【０００６】
しかしながら、いくつかの必須のネットワーク機能はノードを識別するまたはノードの位置をもとめる能力を必要とするかもしれない。そのような機能は、（例えば、携帯電話にかかってきた電話を通知するために）ページング目的のために特定のノードの位置を求めること、および請求書作成、メッセージ転送、サービス区別等のような目的のために、アクティブノードを公知のプロファイルと関連づけることを含む。それゆえ、そのような識別をサポートすることは非常に重要であるかもしれない。
【０００７】
暫定規格−９５Ｂ（または１９９９年２月３日に米電子通信工業会／米国の電子工業会（ＴＩＡ／ＥＩＡ）により公表されたＩＳ−９５Ｂ（表題：「デュアルモード広域スペクトル拡散セルラシステムのための移動局−基地局互換性規格」）または暫定規格−２０００（「ＩＳ−２０００」、１９９９年７月にＴＩＡ／ＥＩＡにより公表された六部規格）に準拠する移動体通信のためのＣＤＭＡシステムにおいて、子局は１０桁の移動識別番号（またはＭＩＮ）を用いてプログラムされる。この番号は子局の固有の電子シリアル番号（ＥＳＮ）からの４桁と、ネットワークに周知であるアイデンティティトークンからの６桁を含み、子局にプログラムされる。ネットワークと通信することにより、子局によるこの情報の提示はネットワークが特定の子局を、サービスオプション、請求書作成、ホームエリア等に関する情報を含むことができる周知のプロファイルと関連づけることを可能にする。この識別機構はまた、子局において終結するように意図された（かかってきた電話のような）送信の経路をネットワークが適切に選択可能にする。さらに、アイデンティティトークンを周知のプロファイルと関連づけることにより、そのリンクが一方の基地局から他方の基地局に移動するとき、ネットワークは子局を認識し追跡することができる。
【０００８】
ＭＩＮの子局へのプログラミングは、プロビジョニング(provisioning)として知られるイベント中に生じる。子局に到達するために使用可能な電話番号のような他のパラメータもまたプロビジョニング中に子局に記憶することができる。過去において、プロビジョニングは一般に、子局のユーザへの配達前にサービスプロバイダにより、または、もうひとつの方法として購入の時点で小売業者により実施されていた。しかしながら、最近、無線のサービスプロビジョニング（または１９９８年５月に公表されたＴＩＡ／ＥＩＡ暫定規格（ＩＳ）−６８３−Ａ（表題：「スペクトル拡散システムにおける移動局の無線サービスプロビジョン」）の出現は、購入後しばらくの間プロビジョニング動作を延期することを可能にした。
【０００９】
ＯＴＡＳＰの能力がある子局はプロビジョンされていない状態で売られるかもしれない。プロビジョニングを実行する前に、子局は呼を発する（すなわち通話を申し込む）ことができるかもしれないが、そのためのプロファイルがネットワーク内に存在しないので（例えば、子局はまだ電話番号を持たない）呼を終了（すなわちページを受信する）ことができない。プロビジョニング手続きを開始するために、子局は所定の方法で基地局に問合せを行なう。例えば、ユーザは特定の番号シーケンスを用いて呼を開始するために子局を用いることができる（例えば北米では、北米番号計画行政（ワシントン、ＤＣ）により示されるように、番号「２２８」がこの目的のために割当てられてきた）。
【００１０】
プロビジョニング要求に応答して、基地局は、アイデンティティトークンに関連するデータを含む、子局により記憶されるべき情報を送る。情報が受信されたというアクノレジメントを子局により受信すると、基地局は子局にその情報を収容する（例えば不揮発性メモリに記憶することにより）ように命令する。収容動作を実行した後、子局は収容アクノレジメントをネットワークに送信し、プロビジョニング動作が成功裏に完了したことを示す。
【００１１】
データ送信中に収容アクノレジメントが紛失されたなら、ネットワークはプロビジョニング動作が成功裏に完了したか否かを知ることはできない。そのような状況において、子局がプロビジョンされないままの状態にあり、呼び出しできないとネットワークが想定している間、子局はネットワークからのページを待っているということが起こるかもしれない。
【００１２】
ネットワークがまだ子局にアイデンティティトークンを割当てていないなら、その子局に対するネットワークアイデンティティは存在せず、登録の試みは成功することができない。しかしながら、ネットワークへのアクセスを獲得するために、子局は、登録しようと試みることを継続するかもしれない。そのような試みは子局の無線周波数送信回路に電力を供給し続けることを要求し、それにより電力を消費する。さらに、これらの試みは無線リンクトラヒックに加えることによりＣＤＭＡシステムに干渉を作り、それによりチャネル容量を低減する。これらの影響を回避することが望ましい。
【発明の概要】
【００１３】
この発明の一実施の形態に従う方法において、メモリのエリアの内容が（例えばプロセッサにより）受信される。その内容がアイデンティティトークンを含むかどうかの決定からなる登録判断がなされる。この登録判断は登録メッセージの送信を可能にすることに関連する。
【図面の簡単な説明】
【００１４】
【図１】図１はネットワークとノードから構成される通信システムを図解する。
【図２】図２はこの発明の一実施の形態に従う方法のフローチャートを示す。
【図３】図３はこの発明の他の実施の形態に従う方法のフローチャートを示す。
【図４】図４はこの発明のさらなる実施の形態に従う方法のフローチャートを示す。
【発明を実施するための形態】
【００１５】
図面において、いくつかの図全体にわたって、同様の参照符号はこの発明の同様の部分を表す。
【００１６】
図１に図解するように、この発明の一実施の形態に従う装置は、ノードトランシーバ１１０と、プロセッサ１２０とメモリ１３０を有したノード１００を含む。ノードトランシーバ１１０は、ノード１００が通信リンク３００を介してネットワーク２００に情報を送信可能にする送信器１１２を含む。ノードトランシーバ１１０はまた、ノード１００が通信リンク３００を介してネットワーク２００から情報を受信可能にする受信器１１４を含む。通信リンク３００を介したこのような送信動作および受信動作は、同じまたは異なるデータ転送速度、通信プロトコル、搬送波周波数、および／または変調方式を用いて行なってもよい。同様に、それぞれ送信器１１２および受信器１１４の動作および／または回路構成は互いに完全に独立していてもよく、または、もう一つの方法として部分的にまたは完全に集積していてもよい。
【００１７】
１つ以上のマイクロプロセッサ、マイクロコントローラ、または他の論理素子のアレイから構成してもよいプロセッサ１２０はメモリ１３０、望ましくは所定エリア１３５に記憶してもよい命令の列に従ってノード１００の動作を制御する。これらの命令はユーザによりキーパッド（図示せず）のようなインタフェースを介して入力されてもよいし、および／または通信リンク３００を介してネットワーク２００から受信してもよい。リードオンリメモリ（ＲＯＭ）、ランダムアクセスメモリ（ＲＡＭ）、および／または不揮発性メモリから構成してもよいメモリ１３０はプログラマブルパラメータを記憶し、およびまた実行可能な命令および／または非プログラマブルパラメータを記憶するようにしてもよい。
【００１８】
この特徴は図１に明示的に示していないが、ネットワーク２００はまた、通信リンクを介してインターネットまたは公衆電話交換網（ＰＳＴＮ）のような他のネットワークに接続していてもよい。この通信リンクは有線接続であってもよいし、またはマイクロ波のような無線リンクであってもよいし、または衛星リンクであってもよく、そして情報は、このリンクを介して１つ以上のアナログ信号および／またはデジタル信号として送信してもよい。例示的実現において、ノード１００は携帯電話のような子局である。代わりの実現において、ノード１００および／またはノードトランシーバ１１０は、（Bluetooth(登録商標）スペシャルインタレストグループ、ニューヨーク、ＮＹにより発行されたBluetooth仕様書,ver1.0bに定義された）無線BLUETOOTHTMプロトコルに従って、情報を受信し送信してもよい。しかしながら、留意すべきは、通信リンク３００が無線である必要がないという点である。さらなる実現において、例えばノード１００は、ネットワーク２００の端末（例えばユニバーサルシリアルバス（ＵＳＢ）またはＲＳ−２３２のような規格に準拠するデータ通信ポート）に接続することにより有線であるが、ネットワーク２００への一時的な通信リンク３００を確立する携帯装置（例えばラップトップコンピュータ）で構成されていてよい。
【００１９】
図２はこの発明の一実施の形態に従う方法のためのフローチャートを示す。プロセッサ１２０はこの方法を実行するように接続し構成するようにしてもよい。このような方法は、例えばパワーアップルーチンの一部としてノード１００内で実行するようにしてもよい。この方法はまた、ノード１００内で維持されるタイマーの満了またはネットワーク２００から受信した信号の変化の検出のようなその他のイベントに応答して実行してもよい。この方法はまた、ネットワーク２００からのコマンドおよび／または（例えばノード１００のキーパッドを介して）ノード１００のユーザからのコマンドの受信に関連して実行するようにしてもよい。一つの実現において、この方法は上で参照したＴＩＡ／ＥＩＡ  ＣＤＭＡ規格文書の１つのセクション６．６．５（「登録」）に記載される登録イベントの発生（例えばパワーアップ、タイマー満了、ゾーン変更）に応じて実行される。
【００２０】
タスクＰ１１０において、プロセッサ１２０はメモリ１３０の所定エリア１３５の内容を受信する。エリア１３５はメモリ１３０の専用の部分であってもよいし、または、もう一つの方法としてそのロケーションは、タスクＰ１１０前の多少の時間まで決定されていなくてもよい。ひとつの実現において、メモリ１３０の少なくとも所定のエリア１３５は不揮発性である（例えば、電力の供給が取り除かれた後でも情報はエリア１３５に保持される）。
【００２１】
タスクＰ１２０において、プロセッサ１２０は登録判断を行う。この判断は、エリア１３５の内容がアイデンティティトークンを含むかどうかの決定を少なくとも含む。一般的な実現において、アイデンティティトークンは、ネットワーク２００により認識してもよいなんらかの識別子であってよい。例えば、アイデンティティトークンは、ノード１００を固有に特徴づけるのに必要なすべての情報を供給する内蔵型であってもよい。代わりの実現において、タスクＰ１２０の決定は、少なくとも一部がネットワーク２００により割当てられたトークンがエリア１３５の内容に発見されるか否かに依存する。
【００２２】
例えばＣＤＭＡネットワークと通信するノードの場合、アイデンティティトークンは上述したＭＩＮの部分のすべてを含めるようにしてもよい。一つの特定の実現において、アイデンティティトークンはＭＩＮの最初の６桁から構成され、登録判断は、（エリア１３５から受信した）これら６桁が（例えば図３のタスクＰ２２０に示される）ノンゼロ値を表すかどうかに依存する。
【００２３】
タスクＰ１２０における決定が成功するなら、次に、タスクＰ１３０において、プロセッサ１２０はノードが登録活動を実行することを可能にする。この活動は、プロセッサ１２０からノードトランシーバ１１０を介して、通信リンク３００を介してネットワーク２００の登録エンティティ２２０に登録メッセージを送信することを含めるようにしてもよい。タスクＰ１２０における決定が失敗なら、次に、タスクＰ１４０において、プロセッサ１２０はノード１００が登録活動を実行することを不能にする。この不能はノード１００に固有の制御パラメータの値を設定またはリセットすることから構成されてもよい。例えば、上で参照した１つ以上のＴＩＡ／ＥＩＡ規格に従うＣＤＭＡシステムにおいて、制御パラメータＲＥＧ＿ＥＮＡＢＬＥＤの値をゼロに設定することは子局による登録メッセージの送信を禁止する。
【００２４】
上述したように、プロビジョニング中にノード１００により送信された収容アクノレジメントが失われるなら、ネットワーク２００は手続きが成功裏に完了したかどうかを知ることができない。図４はこの発明のさらなる実施の形態に従う方法のためのフローチャートを示す。タスクＰ３１０において、ノード１００はネットワーク２００からプロビジョニング情報を受信する。この情報は、例えばアイデンティティトークンに関する情報を含む。プロビジョニング情報を受信すると、ノード１００はプロビジョニング情報アクノレジメントを送信する（タスクＰ３２０）。
【００２５】
タスクＰ３３０において、ノード１００はプロビジョニング情報を収容するための命令を受信する。タスクＰ３４０において、ノード１００はプロビジョニング情報を収容する。一般的な実現において、タスクＰ３４０はプロビジョニング情報の少なくとも一部に基づく情報をメモリ１３０に記憶することから構成される。特定の実現において、タスクＰ３４０はＭＩＮの最初の６桁にノンゼロ情報文字列を記憶することを含む。留意すべきは、タスクＰ３４０において記憶された情報をメモリ１３０の不揮発性エリアに収容し、ノード１００がパワーダウンしてもそのような情報が保持できることが望ましいかもしれないという点である。
【００２６】
プロビジョニング情報を収容すると、タスクＰ３５０において、ノード１００は収容アクノレジメントを送信する。タスクＰ３６０において、ノード１００はまたパワーアップ登録手続きを開始する。ＣＤＭＡシステムへの適用において、上で参照したＴＩＡ／ＥＩＡ  ＣＤＭＡ規格文書のセクション６．６．５．５．１．１（「登録手続き：移動局初期化状態における活動：パワーアップまたはサービングシステム変更」）に記載されたパワーアップ登録手続きから構成されるようにしてもよい。留意すべきはある実現において、タスクＰ３５０は冗長であるとして省略することができ不必要であるという点である。
【００２７】
アイデンティティトークンが存在しないとき、ノード１００による登録活動を不能にすることにより、この発明の記載した実施の形態に従う方法または装置は、通信装置のバッテリ寿命を延ばすことができる。ＣＤＭＡシステムに使用されると、そのような方法または装置はまたリンク干渉を低減することができ、それにより無駄な登録活動を禁止することによりシステム容量を増大させることができる。さらに、この発明の記載された実施の形態に従う方法または装置は、ノード１００により送信された収容アクノレジメントがネットワーク２００により受信されないときシステムのあいまい性を低減する。
【００２８】
記載した実施の形態の前述の提示は当業者がこの発明を製作または使用することを可能にするために提供される。これらの実施の形態に関する種々の変更が可能であり、ここに提示される包括的原理は他の実施形態に同様に適用してもよい。例えば、この発明は一部をまたは前部をハードワイヤード回路として、特定用途向け集積回路として組み込まれた回路構成として、または不揮発性メモリにロードされたファームウエアプログラムとして、または機械読み出し可能なコードとしてデータ記憶媒体からロードされたまたはデータ記憶媒体にロードしたソフトウエアプログラムとして実現してもよい。そのようなコードは、マイクロプロセッサまたはその他のデジタル信号処理装置のような論理素子のアレイに実行可能な命令である。従って、この発明は上に示した実施の形態、特定の命令列、および／または特定のハードウエア構成に限定されることを意図したものではなく、ここにどのような態様で開示した原理および新規な特徴に一致する最も広い範囲が認められるべきである。
【図１】
2011254484.tif 000003
【図２】
2011254484.tif 000004
【図３】
2011254484.tif 000005
【図４】
2011254484.tif 000006
【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
下記を具備する装置：
（１）メモリ；
（２）プロセッサー、前記プロセッサーは、
（Ａ）前記メモリの所定のエリアの内容を受信するように、
（Ｂ）登録活動を行うための登録判断を行うように、
構成され、
前記登録判断は、
（ａ）前記メモリの前記所定のエリアの内容が通信ネットワークにより少なくとも一部分割り当てられたアイデンティティトークンを含むかどうかを判断することを備え、
（ｂ）前記通信ネットワークへの登録メッセージの送信をイネーブルにすることに関連し、
前記プロセッサーは、前記プロセッサに通信可能に接続された前記メモリの前記所定のエリアが前記アイデンティティトークンを含まないと判断するなら前記メモリが前記プロセッサと通信可能に接続されている間、前記登録活動をディスエーブルにする。
【請求項２】
前記プロセッサーは、前記メモリの前記所定エリアの前記内容がノンゼロ値を有するかどうかの判断を前記登録判断が備えるように構成される、請求項１の装置。
【請求項３】
前記プロセッサーは、前記登録判断が、モバイル通信のための無線符号分割多重アクセスネットワークへの登録メッセージの送信をイネーブルにすることに関連するように、構成される、請求項１の装置。
【請求項４】
前記登録判断が、前記メモリの前記エリアの内容がアイデンティティトークンを含むという判断を備えるとき、登録メッセージの送信がイネーブルとなるように前記プロセッサーが構成される、請求項１の装置。
【請求項５】
前記メモリの前記所定エリアの内容がノンゼロ値を有するという判断を前記登録判断が備えるとき、登録メッセージの送信がイネーブルになるように前記プロセッサーが構成される、請求項１の装置。
【請求項６】
前記メモリの少なくとも前記所定のエリアは不揮発性である、請求項１の装置。
【請求項７】
下記を具備する方法：
（ａ）メモリの所定エリアの内容を受信する；
（ｂ）登録活動を行うための登録判断を行う；
前記登録判断は、
（１）前記メモリの前記所定エリアの内容が通信ネットワークにより少なくとも一部分割り当てられたアイデンティティトークンを含むかどうかの判断を備え、
（２）前記通信ネットワークへの登録メッセージの送信をイネーブルにすることに関連する；
前記プロセッサに通信可能に接続された前記メモリの前記所定エリアの内容が前記アイデンティティトークンを含まないと前記プロセッサーが判断するなら前記メモリが前記プロセッサと通信可能に接続されている間、前記プロセッサーは前記登録活動をディスエーブルにする。
【請求項８】
前記登録判断は、前記メモリの前記所定エリアの内容がノンゼロ値を有するかどうかの判断を備える、請求項７の方法。
【請求項９】
前記登録判断は、モバイル通信のための無線符号分割多重アクセスネットワークへの登録メッセージの送信をイネーブルにすることに関連する、請求項７の方法。
【請求項１０】
前記メモリの前記所定エリアの内容がアイデンティティトークンを含むという判断を前記登録判断が備えるとき、登録メッセージの送信がイネーブルになる、請求項７の方法。
【請求項１１】
前記メモリの前記所定エリアの内容がノンゼロ値を有するという判断を前記登録判断が備えるとき、登録メッセージの送信がイネーブルになる、請求項７の方法。
【請求項１２】
前記メモリの少なくとも前記所定エリアは不揮発性である、請求項７の方法。
【請求項１３】
機械読み取り可能なコードが記憶されたデータ記憶媒体であって、前記機械読み取り可能なコードは、ロジックアレイのエレメントにより実行可能な命令を備え、前記命令は下記を具備する方法を定義する：
（ａ）メモリの所定エリアの内容を受信する；
（ｂ）登録活動を行うための登録判断を行う；
前記登録判断は、
（１）前記メモリの前記所定エリアの内容が通信ネットワークにより少なくとも一部分割り当てられたアイデンティティトークンを含むかどうかの判断を備える；
（２）前記通信ネットワークへの登録メッセージの送信をイネーブルにすることに関連する；
前記プロセッサに通信可能に接続された前記メモリの前記所定エリアの内容がアイデンティティトークンを含まないと前記プロセッサーが判断するなら前記メモリが前記プロセッサと接続されている間、前記プロセッサーは前記登録活動をディスエーブルにする。
【請求項１４】
前記登録判断は、前記メモリの前記所定エリアの内容がノンゼロ値を有するかどうかの判断を備える、請求項１３の媒体。
【請求項１５】
前記登録判断は、モバイル通信のための無線符号分割多重アクセスネットワークへの登録メッセージの送信をイネーブルにすることに関連する、請求項１３の媒体。
【請求項１６】
前記メモリの前記所定エリアの内容がアイデンティティトークンを含むという判断を前記登録判断が備えるとき、登録メッセージの送信はイネーブルにされる、請求項１３の媒体。
【請求項１７】
前記メモリの前記所定エリアの内容がノンゼロ値を有するという判断を前記登録判断が備えるとき、登録メッセージの送信はイネーブルにされる、請求項１３の媒体。
【請求項１８】
下記を具備する方法：
（ａ）アイデンティティトークンに関連する情報を含むプロビジョニング情報を受信する；
（ｂ）前記プロビジョニング情報を受信すると、プロビジョニング情報アクノレジメントを送信する；
（ｃ）前記プロビジョニング情報に適合するためのコマンドを受信する；
（ｄ）前記プロビジョニング情報と、前記プロビジョニング情報に適合するためのコマンドを受信すると、前記プロビジョニング情報に適合し、プロセッサに通信可能に接続されたメモリモジュールの所定エリア内の前記プロビジョニング情報を記憶する；
（ｅ）前記プロビジョニング情報に適合すると、電力上昇登録手続を開始する；
（ｆ）前記アイデンティティトークンに関連した情報が前記メモリモジュールの前記所定エリア内に見つからない場合には、前記メモリモジュールが前記プロセッサと通信可能に接続されている間、前記電力上昇登録手続をディスエーブルにする。
【請求項１９】
前記プロビジョニング情報はアイデンティティトークンに関する情報を含む、請求項１８の方法。
【請求項２０】
前記プロビジョニング情報アクノレジメントを送信することは、符号分割多重アクセス無線リンクを介してプロビジョニング情報アクノレジメントを送信することを備える、請求項１８の方法。
【請求項２１】
前記電力上昇登録手続を開始することは、登録メッセージを送信することを備える、請求項１８の方法。
【請求項２２】
前記プロビジョニング情報に適合することは、前記プロビジョニング情報の少なくとも一部分に関連する情報をメモリの所定エリアに記憶することを備える、請求項１８の方法。
【請求項２３】
前記メモリの少なくとも前記所定エリアは不揮発性である、請求項２２の方法。
【手続補正２】
【補正対象書類名】明細書
【補正対象項目名】００２８
【補正方法】変更
【補正の内容】
【００２８】
記載した実施の形態の前述の提示は当業者がこの発明を製作または使用することを可能にするために提供される。これらの実施の形態に関する種々の変更が可能であり、ここに提示される包括的原理は他の実施形態に同様に適用してもよい。例えば、この発明は一部をまたは前部をハードワイヤード回路として、特定用途向け集積回路として組み込まれた回路構成として、または不揮発性メモリにロードされたファームウエアプログラムとして、または機械読み出し可能なコードとしてデータ記憶媒体からロードされたまたはデータ記憶媒体にロードしたソフトウエアプログラムとして実現してもよい。そのようなコードは、マイクロプロセッサまたはその他のデジタル信号処理装置のような論理素子のアレイに実行可能な命令である。従って、この発明は上に示した実施の形態、特定の命令列、および／または特定のハードウエア構成に限定されることを意図したものではなく、ここにどのような態様で開示した原理および新規な特徴に一致する最も広い範囲が認められるべきである。
以下に他の実施形態を示す。
［１］下記を具備する装置：
メモリ；および
プロセッサ、前記プロセッサは、前記メモリの所定エリアの内容を受信するように接続され、登録判断を行うように構築され、前記登録判断は、前記メモリの前記所定エリアの内容がアイデンティティトークンを含むかどうかの決定から構成され、および登録メッセージの送信を可能にすることに関連している。
［２］前記登録判断が、通信ネットワークへの登録メッセージの送信を可能にすることに関連し、および
前記メモリの前記所定エリアの内容が、前記通信ネットワークによって少なくとも一部が割当てられたアイデンティティトークンを含むかどうかの決定から構成される、［１］の装置。
［３］前記登録判断が、前記メモリの前記所定エリアの内容がノンゼロ値を有するかどうかの決定から構成されるように、前記プロセッサが構築される、［１］の装置。
［４］前記登録判断が、移動通信のための無線符号分割多重アクセスへの登録メッセージの送信を可能にすることに関連するように、前記プロセッサが構築されている、［１］の装置。
［５］前記登録判断が、前記メモリの前記エリアの内容がアイデンティティトークンを含むという決定から構成されるとき、登録メッセージの送信が可能となるように、前記プロセッサが構築されている、［１］の装置。
［６］前記登録判断が、前記メモリの前記所定エリアの内容がノンゼロ値を有するという決定から構成されるとき、登録メッセージの送信が可能となるように、前記プロセッサが構築される、［１］の装置。
［７］前記メモリの少なくとも前記所定のエリアは不揮発性である、［１］の装置。
［８］下記から構成される方法：
（ａ）メモリの所定エリアの内容を受信する；および
（ｂ）登録判断を行う、前記登録判断は、
（１）前記メモリの前記所定エリアの内容がアイデンティティトークンを含むかどうかの決定から構成され、および
（２）登録メッセージの送信を可能にすることに関連している。
［９］前記登録判断は、
（ａ）通信ネットワークへの登録メッセージの送信を可能にすることに関連し、および
（ｂ）前記メモリの前記所定エリアの内容が、通信ネットワークにより少なくとも一部が割当てられたアイデンティティトークンを含むかどうかの判断から構成される、［８］の方法。
［１０］前記登録判断は前記メモリの前記所定エリアの内容がノンゼロ値を有するかどうかの決定から構成される、［８］の方法。
［１１］前記登録判断は、移動通信のための無線符号分割多重アクセスネットワークへの登録メッセージの送信を可能にすることに関連する、［８］の方法。
［１２］前記登録判断が、前記メモリの前記所定エリアの内容がアイデンティティトークンを含む決定から構成されるとき、登録メッセージの送信が可能にされる、［８］の方法。
［１３］前記登録判断が、前記メモリの前記所定エリアの内容がノンゼロ値を有する決定から構成されるとき、登録メッセージの送信が可能にされる、［８］の方法。
［１４］前記メモリの少なくとも前記所定エリアは不揮発性である、［８］の方法。
［１５］機械読み出し可能なコードを記憶したデータ記憶媒体、前記機械読み出し可能なコードは論理素子のアレイにより実行可能な命令群から構成され、前記命令群は下記から構成される方法を定義する：
（ａ）メモリの所定エリアの内容を受信する；および
（ｂ）登録判断を行なう、前記登録判断は、
（１）前記メモリの前記所定エリアの内容がアイデンティティトークンを含むかどうかの決定から構成され、
（２）登録メッセージの送信を可能にすることに関連する。
［１６］前記登録判断は、
（ａ）通信ネットワークへの登録メッセージの送信を可能にすることに関連し、および
（ｂ）前記メモリの前記所定エリアの内容が前記通信ネットワークにより少なくとも一部が割当てられたアイデンティティトークンを含むかどうかの決定から構成される、［１５］の媒体。
［１７］前記登録判断は、前記メモリの前記所定エリアの内容がノンゼロ値を含むかどうかの決定から構成される、［１５］の媒体。
［１８］前記登録判断は、移動通信のための無線符号分割多重アクセスへの登録メッセージの送信を可能にすることに関連する、［１５］の媒体。
［１９］前記登録判断が、前記メモリの前記所定エリアの内容がアイデンティティトークンを含む決定から構成されるとき、登録メッセージの送信が可能にされる、［１５］の媒体。
［２０］前記登録判断が、前記メモリの前記所定エリアの内容がノンゼロ値を含む決定から構成されるとき、登録メッセージの送信が可能にされる、［１５］の媒体。
［２１］下記から構成される方法：
（ａ）プロビジョニング情報を受信する；
（ｂ）前記プロビジョニング情報を受信すると、プロビジョニング情報アクノレジメントを送信する；
（ｃ）前記プロビジョニング情報を収容するための命令を受信する；
（ｄ）前記プロビジョニング情報を受信し、前記収容するための命令を受信すると、前記プロビジョニング情報を収容する；および
（ｅ）前記収容すると、パワーアップ登録手続きを開始する。
［２２］前記プロビジョニング情報はアイデンティティトークンに関する情報を含む、［２１］の方法。
［２３］前記プロビジョニング情報はアイデンティティトークンに関する情報を含む、［２１］の方法。
［２４］プロビジョニング情報アクノレジメントを送信する前記工程は符号分割多重アクセス無線リンクを介してプロビジョニング情報アクノレジメントを送信することから構成される、［２１］の方法。
［２５］前記パワーアップ登録手続きを開始する工程は登録メッセージを送信することから構成される、［２１］の方法。
［２６］前記収容する工程は、前記プロビジョニング情報の少なくとも一部に関連する情報をメモリの所定エリアに記憶することから構成される、［２１］の方法。
［２７］前記メモリの少なくとも前記所定エリアは不揮発性である、［２６］の方法。
【外国語明細書】
2011254484000001.pdf